(57)【要約】【課題】装置の小型化を図ることを目的とする。【解決手段】電力変換装置１は、コンバータ装置２と、コンバータ制御装置３とを備えている。コンバータ装置２は、整流回路５と、第１のスイッチング回路１０ａと、第２のスイッチング回路１０ｂと、平滑コンデンサ１２とを備えている。第１のスイッチング回路１０ａは、インダクタ６ａ、ダイオード７ａ、スイッチング素子８ａを備えている。第２のスイッチング回路１０ｂは、インダクタ６ｂ、ダイオード７ｂ、スイッチング素子８ｂを備えている。コンバータ制御装置３は、モータ制御装置２０で使用されるモータ電流に関するパラメータを入力情報として取得し、取得した入力情報に基づいてスイッチング素子８ａ，８ｂを作動させるか否かを決定する。【選択図】図１
2013135516.tif 000002
【特許請求の範囲】
【請求項１】
モータ負荷を制御するモータ制御装置を備えたシステムに適用される電力変換装置であって、
交流電力を直流電力に変換して前記モータ負荷側へ出力するコンバータ装置と、
前記コンバータ装置を制御するコンバータ制御装置と
を備え、
前記コンバータ装置は、
整流回路と、
前記整流回路の出力側に接続される２本の直流母線と、
一方の前記直流母線に、互いに並列に接続された複数のインダクタと、
前記直流母線において前記インダクタの出力側に設けられ、一端が一方の前記直流母線に、他端が他方の前記直流母線に接続されたコンデンサと、
各前記インダクタの出力側と他方の前記直流母線とをそれぞれ接続する配線と、
複数の前記配線にそれぞれ設けられた複数のスイッチング素子と
を備え、
前記コンバータ制御装置は、
前記コンバータ装置の出力側に接続される前記モータ負荷を制御するモータ制御装置で使用されるモータ電流に関するパラメータを入力情報として取得する入力手段と、
取得した前記入力情報に基づいて前記スイッチング素子を作動させるか否かを決定する第１処理手段と
を具備する電力変換装置。
【請求項２】
前記コンバータ制御装置は、前記モータ制御装置において使用される要求回転数指令と、前記要求回転数指令を所定のレートで変化させたモータ回転数指令とを入力情報として取得し、前記要求回転数指令と前記モータ回転数指令とに基づいて、作動させるスイッチング素子の数を決定する第２処理手段を備える請求項１に記載の電力変換装置。
【請求項３】
前記第１処理手段は、
前記モータ電流に関するパラメータまたは該パラメータを用いて算出される評価値と、予め設定されている所定の基準値とを比較する比較手段を備え、
前記パラメータまたは前記評価値が前記基準値以上であった場合に、前記スイッチング素子を作動させると判定する請求項１または請求項２に記載の電力変換装置。
【請求項４】
前記パラメータは、モータトルク、モータ回転数、モータ電流、モータ電圧の少なくともいずれか一つであり、
前記比較手段は、取得した前記パラメータと予め設定されている基準値とを比較する請求項３に記載の電力変換装置。
【請求項５】
前記パラメータは、モータトルクと、モータ回転数であり、
前記評価値は、前記モータトルクとモータ回転数とを乗じて得られる値である請求項１から請求項３のいずれかに記載の電力変換装置。
【請求項６】
請求項１から請求項５のいずれかに記載の電力変換装置と、
前記電力変換装置の出力側に接続され、該電力変換装置からの直流電力を三相交流電力に変換して出力するインバータ装置と、
前記インバータ装置からの三相交流電力により駆動される圧縮機モータと、
前記インバータ装置を制御するモータ制御装置と
を具備する空気調和機。
【発明の詳細な説明】
【技術分野】
【０００１】
本発明は、電力変換装置及びそれを備える空気調和機に関するものである。
【背景技術】
【０００２】
従来、電力変換装置として、特許文献１に開示される装置が知られている。特許文献１に開示されている電力変換装置は、交流電力を直流電力に変換するコンバータ電源装置であり、高調波成分の低減及び力率改善を目的として、基本スイッチング回路と増設スイッチング回路からなる２つのスイッチング回路を有している。そして、負荷の小さいときには基本スイッチング回路のみを作動させ、負荷が大きい場合に基本スイッチング回路と増設スイッチング回路の両方を作動させる。
【０００３】
より具体的には、特許文献１に開示されるコンバータ電源装置は、整流器から出力される電流が基準電流よりも小さいか否かを判定する比較回路と、平滑コンデンサの両端電圧が基準電圧よりも大きいか否かを判定する比較回路と、これら二つの比較回路からの出力信号に応じてオンオフされる制御信号スイッチとを有している。制御信号スイッチは、増設スイッチング回路とコンバータ電源装置との接続を切断させるためのスイッチである。
【先行技術文献】
【特許文献】
【０００４】
【特許文献１】特開２０１０−２３３４３９号公報
【発明の概要】
【発明が解決しようとする課題】
【０００５】
特許文献１に開示されているコンバータ電源装置は、増設スイッチング回路を作動させるか否かを判定するのに、整流器から出力される電流を検出する電流検出器、及び平滑コンデンサの両端電圧を検出する電圧検出器を必要とする。更に、増設スイッチング回路をコンバータ電源装置から切り離すための制御信号スイッチを有しており、装置構成が多く、装置が大型化する等の問題が生ずる。
【０００６】
本発明は、このような事情に鑑みてなされたものであって、装置の小型化を図ることのできる電力変換装置及び空気調和機を提供することを目的とする。
【課題を解決するための手段】
【０００７】
上記課題を解決するために、本発明は以下の手段を採用する。
本発明は、モータ負荷を制御するモータ制御装置を備えたシステムに適用される電力変換装置であって、交流電力を直流電力に変換して前記モータ負荷側へ出力するコンバータ装置と、前記コンバータ装置を制御するコンバータ制御装置とを備え、前記コンバータ装置は、整流回路と、前記整流回路の出力側に接続される２本の直流母線と、一方の前記直流母線に、互いに並列に接続された複数のインダクタと、前記直流母線において前記インダクタの出力側に設けられ、一端が一方の前記直流母線に、他端が他方の前記直流母線に接続されたコンデンサと、各前記インダクタの出力側と他方の前記直流母線とをそれぞれ接続する配線と、複数の前記配線にそれぞれ設けられた複数のスイッチング素子とを備え、前記コンバータ制御装置は、前記コンバータ装置の出力側に接続される前記モータ負荷を制御するモータ制御装置で使用されるモータ電流に関するパラメータを入力情報として取得する入力手段と、取得した前記入力情報に基づいて前記スイッチング素子を作動させるか否かを決定する第１処理手段とを具備する電力変換装置を提供する。
【０００８】
本発明によれば、モータ制御装置で使用されるモータ電流に関するパラメータが入力情報としてコンバータ制御装置に入力される。コンバータ制御装置では、モータ制御装置から取得したモータ電流に関するパラメータに基づいてスイッチング素子を作動させるか否かが決定される。このように、モータ制御装置において用いられた情報を利用して、スイッチング素子を作動させるか否かを決定するので、その決定のためだけに、電流検出器や電圧検出器を設ける必要がない。これにより、装置の簡素化を図ることが可能となる。
【０００９】
上記電力変換装置において、前記コンバータ制御装置は、前記モータ制御装置において使用される要求回転数指令と、前記要求回転数指令を所定のレートで変化させたモータ回転数指令とを入力情報として取得し、前記要求回転数指令と前記モータ回転数指令とに基づいて、作動させるスイッチング素子の数を決定する第２処理手段を備えることとしてもよい。
【００１０】
このように、コンバータ制御装置において、モータ制御装置から取得した情報に基づいて作動させるスイッチング素子の数を決定するので、作動させるスイッチング素子の数を決定するために、電流検出器や電流検出器を設ける必要がなく、装置の簡素化を図ることが可能となる。
【００１１】
上記電力変換装置において、前記第１処理手段は、前記モータ電流に関するパラメータまたは該パラメータを用いて算出される評価値と、予め設定されている所定の基準値とを比較する比較手段を備え、前記パラメータまたは前記評価値が前記基準値以上であった場合に、前記スイッチング素子を作動させると判定することとしてもよい。
【００１２】
上記電力変換装置において、前記パラメータは、モータトルク、モータ回転数、モータ電流、モータ電圧の少なくともいずれか一つであり、前記比較手段は、取得した前記パラメータと予め設定されている基準値とを比較することとしてもよい。
【００１３】
上記電力変換装置において、前記パラメータは、モータトルクと、モータ回転数であり、前記評価値は、前記モータトルクとモータ回転数とを乗じて得られる値であってもよい。
【００１４】
本発明は、上記の電力変換装置と、前記電力変換装置の出力側に接続され、該電力変換装置からの直流電力を三相交流電力に変換して出力するインバータ装置と、前記インバータ装置からの三相交流電力により駆動される圧縮機モータと、前記インバータ装置を制御するモータ制御装置とを具備する空気調和機を提供する。
【発明の効果】
【００１５】
装置の小型化を図ることができるという効果を奏する。
【図面の簡単な説明】
【００１６】
【図１】本発明の一実施形態に係る空気調和機に適用される電力変換装置及び電力変換装置の周辺構成を示した図である。
【図２】図１に示した第１制御装置が備える機能ブロック図である。
【発明を実施するための形態】
【００１７】
以下に、本発明の一実施形態に係る電力変換装置及び空気調和機について図面を参照して説明する。
図１は、本発明の一実施形態に係る空気調和機における電力変換装置及び電力変換装置の周辺構成を示した図である。
図１に示すように、電力変換装置１は、交流電源４から出力された交流電力を直流電力に変換して出力するコンバータ装置２と、コンバータ装置２を制御するコンバータ制御装置３とを備えている。
【００１８】
コンバータ装置２は、交流電力を全波整流する整流回路５を備えている。整流回路５の出力側には、直流母線Ｌｐ，Ｌｎが接続されている。
一方の直流母線Ｌｐには、複数のインダクタ６ａ，６ｂが互いに並列に接続されている。各インダクタ６ａ、６ｂには、ダイオード７ａ、７ｂがそれぞれ直列に接続されている。インダクタ６ａとダイオード７ａとの間と、直流母線Ｌｎとは配線Ｌａにより接続されている。インダクタ６ｂとダイオード７ｂとの間と、直流母線Ｌｎとは配線Ｌｂにより接続されている。配線Ｌａにはスイッチング素子８ａが、配線Ｌｂにはスイッチング素子８ｂが接続されている。
スイッチング素子８ａ，８ｂは、例えば、電界効果トランジスタ（ＦＥＴ：Field Effect Transistor）である。
【００１９】
上記インダクタ６ａ、ダイオード７ａ、及びスイッチング素子８ａにより、第１スイッチング回路１０ａが構成されている。また、インダクタ６ｂ、ダイオード７ｂ、及びスイッチング素子８ｂにより、第２スイッチング回路１０ｂが構成されている（以下、全てのスイッチング回路を示すときは単に符号「１０」を付し、各スイッチング回路を示すときは符号「１０ａ」、「１０ｂ」を付す。）。
上記直流母線において、スイッチング回路１０の出力側には、一端が直流母線Ｌｐに、他端が直流母線Ｌｎに接続される平滑コンデンサ１２が設けられている。
【００２０】
更に、コンバータ装置２の出力側には、インバータ装置１５が接続されている。インバータ装置１５は、コンバータ装置２からの直流電力をＵ相、Ｖ相、Ｗ相の３相交流電力に変換してモータ負荷１８に出力する。
インバータ装置１５は、各相に対応するスイッチング素子を備えており、このスイッチング素子の制御がモータ制御装置２０により行われることで、所望のモータ電流、モータ電圧がモータ負荷１８に供給される。ここで、モータ負荷１８は、圧縮機モータである。
【００２１】
モータ制御装置２０は、例えば、上位装置（図示略）から入力される要求回転数指令ω＊に基づいてインバータ装置１５が備えるスイッチング素子のゲート駆動信号Ｓｐｗｍを生成し、インバータ装置１５へ出力する。
モータ制御の具体的な手法の一例としては、ベクトル制御、センサレスベクトル制御、Ｖ／Ｆ制御、過変調制御、１パルス制御などが挙げられる。
上記のような制御を実現するために、モータ制御装置２０には、インバータ装置１５の入力直流電圧Ｖｄｃ、モータ負荷１８に流れる各相電流ｉｕ、ｉｖ、ｉｗが検出されて入力されるようになっている。
【００２２】
また、モータ制御装置２０においては、制御の過程において、要求回転数指令ω＊からモータ回転数指令ωｍ＊が決定され、このモータ回転数指令ωｍ＊を実現させるためのトルク（モータ電流）Ｔが計算され、このトルク（モータ電流）Ｔに基づいて３相電圧指令が決定され、この３相電圧指令からゲート駆動信号Ｓｐｗｍが生成される。なお、このようなモータ制御装置２０の制御については、公知のためここでの詳細説明は省略する。
【００２３】
ここで、モータ回転数指令ωｍ＊は、要求回転数指令ω＊が変化した場合に、その変化レートが予め設定されている所定の基準値を超えないように徐々に変化させるための指令であり、例えば、要求回転数指令ω＊がレートリミッタを通過した後の値に相当する。
モータ制御装置２０におけるゲート駆動信号Ｓｐｗｍの生成過程で使用される上記要求回転数指令ω＊、モータ回転数指令ωｍ＊、トルクＴの情報はコンバータ制御装置３に出力される。
【００２４】
コンバータ制御装置３は、第１スイッチング回路１０ａが備えるスイッチング素子８ａ及び第２スイッチング回路１０ｂが備えるスイッチング素子８ｂのオンオフ制御を行う。コンバータ制御装置３は、例えば、ＭＰＵ（Micro Processing Unit）であり、以下に記載する各処理を実行するためのプログラムが記録されたコンピュータ読み取り可能な記録媒体を有しており、ＣＰＵがこの記録媒体に記録されたプログラムをＲＡＭ等の主記憶装置に読み出して実行することにより、以下の各処理が実現される。コンピュータ読み取り可能な記録媒体としては、例えば、磁気ディスク、光磁気ディスク、半導体メモリ等が挙げられる。
【００２５】
コンバータ制御装置３は、第１制御装置３１及び第２制御装置３２を主な構成として備えている。
図２は、コンバータ制御装置３が備える第１制御装置３１の機能ブロック図を示した図である。図２に示すように、第１制御装置３１は、入力部４１と、第１処理部４２と、第２処理部４３とを備えている。
【００２６】
入力部４１は、上述したモータ制御装置２０から出力される要求回転数指令ω＊、モータ回転数指令ωｍ＊、トルクＴの情報を取得し、これら情報を第１処理部４２及び第２処理部４３に出力する。
【００２７】
第１処理部４２は、モータ電流が予め設定されている基準値よりも大きいか否かを判定するものである。具体的には、第１処理部４２は、モータ電流に関するパラメータまたはこれらパラメータから求められる評価値と予め設定されている基準値とを比較し、この比較結果を第１信号Ｓ１として出力する。
モータ電流に関するパラメータとしては、モータトルク、モータ回転数、モータ電流、モータ電圧等が挙げられる。
第１処理部４２は、例えば、評価値算出部５１と、比較部５２とを備えている。
【００２８】
評価値算出部５１は、入力部４１から入力されたモータ回転数指令ωｍ＊とモータトルクＴとを乗算して評価値を算出し、これを比較部５２に出力する。比較部５２は、入力された評価値と予め設定されている基準値とを比較し、評価値が基準値以上である場合にＨ（ハイ）信号を、評価値が基準値未満である場合にＬ（ロー）信号を出力する。比較部５２の出力であるＨ／Ｌ信号は、第１信号Ｓ１として第２制御装置３２に出力される。
ここで、Ｈ信号はスイッチング回路１０を作動させる必要がないことを意味し、Ｌ信号はスイッチング回路１０を作動させる必要があることを意味している。
【００２９】
なお、本実施形態では評価値と基準値とを比較する場合を例示したが、この例に代えて、例えば、トルク一定の制御を行っている場合には、要求回転数指令ω＊またはモータ回転数指令ωｍ＊と予め設定されている所定の基準値とを比較することにより、モータ電流が大きいか否かを判定することとしてもよい。また、回転数一定の制御を行っている場合には、トルクＴと予め設定されている所定の基準値とを比較することとしてもよい。また、他の例としては、例えば、各相電流ｉｕ、ｉｖ、ｉｗ、入力直流電圧Ｖｄｃ或いは、モータ電流指令値やモータ電圧指令値等を取得し、これらの情報と基準値とを比較することとしてもよい。
【００３０】
モータ電流が大きい場合には、コンバータ装置２の直流母線Ｌｐ，Ｌｎに発生するリップル成分が大きくなる。一方、モータ電流が小さい場合には、直流母線Ｌｐ，Ｌｎに発生するリップル成分は小さく、所定の許容範囲内に収まる。このような場合には、スイッチング回路１０の作動を停止させ、スイッチングによる損失を回避する方が好ましい。したがって、第１処理部４２により、モータ電流がどの程度のレベルなのかを監視することにより、スイッチング回路１０を効果的な範囲でのみ作動させることができ、スイッチング損失を低減させることが可能となる。
【００３１】
第２処理部４３は、作動させるスイッチング回路１０の数を決定するものであり、第１比較部６１と、第２比較部６２と、作動数決定部６３とを備えている。
第１比較部６１は、入力部４１から入力された要求回転数指令ω＊と予め設定されている第１基準値とを比較し、要求回転数指令ω＊が第１基準値以上である場合にＨ信号を、要求回転数指令ω＊が第１基準値未満である場合にＬ信号を出力する。
【００３２】
第２比較部６２は、入力部４１から入力されたモータ回転数指令ωｍ＊と予め設定されている第２基準値とを比較し、モータ回転数指令ωｍ＊が第２基準値以上である場合にＨ信号を、モータ回転数指令ωｍ＊が第２基準値未満である場合にＬ信号を出力する。
第１基準値及び第２基準値は異なる値であってもよいし、同じ値であってもよい。
【００３３】
作動数決定部６３は、例えば、論理和回路（ＯＲ回路）であり、第１比較部６１及び第２比較部６２の少なくともいずれか一方の出力がＨ信号である場合にＨ信号を出力し、第１比較部６１及び第２比較部６２の出力がいずれもＬ信号の場合にＬ信号を出力する。作動数決定部６３の出力であるＨ／Ｌ信号は、第２信号Ｓ２として第２制御装置３２に出力される。第２信号Ｓ２がＨ信号であれば、作動させるスイッチング回路が２つであることを意味し、Ｌ信号であれば、作動させるスイッチング回路が１つであることを意味する。
【００３４】
第２処理部４３は、上述のように、要求回転数指令ω＊及びモータ回転数指令ωｍ＊に基づいて、モータ電流の増減を監視している。モータ電流が増加する場合には、直流電流に含まれるリップル成分が大きくなることから、２つのスイッチング回路１０を作動させて、リップル低減の効果を大きくする。これに対し、モータ電流が減少する場合には、作動させるスイッチング回路１０の数を少なくして、スイッチング損失の低減を図る。
【００３５】
第２制御装置３２（図１参照）は、第１制御装置３１から入力される第１信号Ｓ１及び第２信号Ｓ２に基づいて、各スイッチング素子８ａ，８ｂのオンオフの駆動信号を生成し、各スイッチング素子８ａ，８ｂへ与える。
例えば、第２制御装置３２は、第１信号Ｓ１としてＬ信号を受信した場合には、第１スイッチング回路１０ａ及び第２スイッチング回路１０ｂの両方とも作動させる必要はないと判断して、いずれのスイッチング素子８ａ，８ｂに対しても駆動信号を出力しない。
【００３６】
これに対し、第１信号Ｓ１としてＨ信号を受信した場合には、第２信号Ｓ２を参照し、作動させるスイッチング素子の数を確認する。この結果、第２信号Ｓ２がＨ信号である場合には、スイッチング素子８ａ，８ｂの両方に対して、所定の周波数、例えば、電源周波数よりも高い周波数のスイッチング駆動信号を出力する。これにより、スイッチング素子８ａ，８ｂの両方が所定の周波数でオンオフ制御され、力率改善及びリップル成分の減少に寄与することとなる。
【００３７】
また、第１信号がＨ信号であり、第２信号がＬ信号である場合には、いずれか一方、例えば、第１スイッチング回路１０ａのスイッチング素子８ａに対してのみ、所定の周波数でオンオフを繰り返す駆動信号を出力し、第２スイッチング回路１０ｂのスイッチング素子８ｂに対しては駆動信号を出力しない。これにより、第２スイッチング回路１０ｂは作動を停止し、第１スイッチング回路１０ａのスイッチング素子８ａのみが所定の周波数でオンオフ制御されることとなる。
【００３８】
なお、第１信号がＨ信号かつ第２信号がＬ信号である場合、すなわち、いずれか一方のスイッチング素子を駆動させ、他方を作動停止させる場合には、駆動させるスイッチング素子を切り替えるようにしてもよい。このように、駆動させるスイッチング素子を切り替えることにより、双方の作動時間を同じ程度とすることができ、一方にのみ耐久の負担がかかることを回避することができる。
【００３９】
次に、上記構成を備える電力変換装置１の動作について図１及び図２を参照して説明する。
まず、モータ制御装置２０に入力直流電圧Ｖｄｃ、モータ電流ｉｕ，ｉｖ，ｉｗ等の情報が入力され、これらの情報に基づいてインバータ装置１５のゲート駆動信号Ｓｐｗｍが生成される。また、モータ制御装置２０において、ゲート駆動信号Ｓｐｗｍを生成する過程で用いられた要求回転数指令ω＊、モータ回転数指令ωｍ＊、トルクＴの情報がコンバータ装置３の第１制御装置３１に出力される。
【００４０】
第１制御装置３１において、入力部４１によりこれらの情報は受信され、第１処理部４２及び第２処理部４３に出力される。
第１処理部４２では、評価値算出部５１において要求回転数指令ω＊とトルクＴとが乗算されて評価値が算出され、比較部５２において評価値と基準値とが比較される。この結果、評価値が基準値以上であればＨ信号が、評価値が基準値未満であればＬ信号が、第１信号Ｓ１として第２制御装置３２に出力される。
【００４１】
第２処理部４３では、第１比較部６１により、入力部４１から入力された要求回転数指令ω＊と第１基準値とが比較される。この結果、要求回転数指令ω＊が第１基準値以上であればＨ信号が、要求回転数指令ω＊が第１基準値未満であればＬ信号が、作動数決定部６３に出力される。
【００４２】
同様に、第２比較部６２では、入力部４１から入力されたモータ回転数指令ωｍ＊と第２基準値とが比較され、モータ回転数指令ωｍ＊が第２基準値以上であればＨ信号が、モータ回転数指令ωｍ＊が第２基準値未満であればＬ信号が作動数決定部６３に出力される。
【００４３】
作動数決定部６３では、第１比較部６１及び第２比較部６２の少なくともいずれか一方の出力がＨ信号である場合に、第２信号Ｓ２としてＨ信号が第２制御装置３２に出力され、第１比較部６１及び第２比較部６２の出力がいずれもＬ信号の場合に、第２信号Ｓ２としてＬ信号が第２制御装置３２に出力される。
【００４４】
第２制御装置３２では、第１制御装置３１から入力される第１信号Ｓ１がＬ信号である場合に、スイッチング回路１０の作動が停止される。一方、第１信号Ｓ１がＨ信号である場合には、第２信号Ｓ２が確認される。この場合、第２信号Ｓ２がＨ信号であれば、第１スイッチング素子８ａ及び第２スイッチング素子８ｂに対して所定の周波数でオンオフを繰り返す駆動信号が出力される。これに対し、第２信号Ｓ２がＬ信号であれば、一方のスイッチング素子８ａまたは８ｂに駆動信号を出力し、他方のスイッチング素子８ｂまたは８ａには駆動信号を出力しない。これにより、２つあるスイッチング素子８ａ，８ｂの一方のみが所定の周波数でオンオフ制御されることとなる。
【００４５】
このように、本実施形態に係る電力変換装置及び空気調和機によれば、モータ制御装置２０において用いられる制御量を入力情報としてコンバータ装置３に入力することとし、この入力情報を用いてスイッチング回路１０の作動／作動停止を判定するとともに、作動させるスイッチング回路の数を決定する。これにより、スイッチング回路１０を作動させるか否か、また、作動させる数を決めるためだけに、電圧センサや電流センサを設ける必要がなくなり、装置構成を簡素化することが可能となる。この結果、装置の小型化を図ることが可能となる。
【００４６】
更に、モータ電流に基づいて、スイッチング回路１０の作動／作動停止、及び、作動させるスイッチング素子の数を決定するので、直流母線Ｌｐ、Ｌｎに発生するリップル成分の大きさなどに応じてスイッチング回路の作動数を適切な数に決定することが可能となる。これにより、可能な限りスイッチング損失を低減しながら、リップル成分を低減させることが可能となる。
【００４７】
なお、本実施形態では、２つのスイッチング回路１０を備える場合を例示したが、スイッチング回路１０の設置数については限定されない。また、スイッチング回路１０が３つ以上設けられる場合には、そのスイッチング回路の設置数に応じて、第２処理部４３における基準値を設けることとし、作動させるスイッチング回路の数と、作動を停止させるスイッチング回路の数とを動的に決定するとよい。
【００４８】
また、本実施形態では、電力変換装置１を空気調和機に適用した場合を想定して説明したが、本発明に係る電力変換装置は、モータ負荷を備えるシステムに広く適用可能である。
【符号の説明】
【００４９】
１  電力変換装置
２  コンバータ装置
３  コンバータ制御装置
４  交流電源
５  整流回路
６ａ，６ｂ  インダクタ
７ａ，７ｂ  ダイオード
８ａ，８ｂ  スイッチング素子
１０ａ  第１スイッチング回路
１０ｂ  第２スイッチング回路
１２  平滑コンデンサ
１５  インバータ装置
１８  モータ負荷
２０  モータ制御装置
３１  第１制御装置
３２  第２制御装置
４１  入力部
４２  第１処理部
４３  第２処理部
５１  評価値算出部
５２  比較部
６１  第１比較部
６２  第２比較部
６３  作動数決定部
【図１】
2013135516.tif 000003
【図２】
2013135516.tif 000004